(57)【特許請求の範囲】
【請求項１】
電力ケ−ブル、パイプライン等を母線としてその母線の表面に細径ケ−ブルを縦添えし、この細径ケ−ブルを支えるものであって、断面Ｃ字形であり、弾性復元力で把持するケ−ブル把持具。
【請求項２】
電力ケ−ブル、パイプライン等を母線としてその母線の表面に細径ケ−ブルを縦添えし、さらに、その外側から長手方向に適宜間隔で母線の外周に断面Ｃ字形であり、弾性復元力で把持するケ−ブル把持具を嵌め、この把持具で細径ケ−ブルを支えるケ−ブル布設方法。
【請求項３】
前記細径ケ−ブルに熱伸縮等による母線との相対移動に対応する弛みを設け、前記相対移動が生じる位置の把持具にはガイド溝を内面に設けてこのガイド溝で細径ケ−ブルを相対移動する方向に可動に支える請求項２記載のケ−ブル布設方法。
【請求項４】
前記相対移動が生じる位置の把持具として、前記細径ケ−ブルが母線の軸方向にのみ相対移動が許容される把持具と、前記細径ケ−ブルが母線の円周方向にも相対移動が許容される把持具とを使用した請求項３記載のケ−ブル布設方法。
【発明の詳細な説明】
【０００１】
【産業上の利用分野】
この発明は、電力ケーブル、パイプライン等を母線としてその表面上に光ファイバケーブル等の細径ケーブルを布設していく方法に関する。
【０００２】
【従来の技術】
首記の電力ケーブル、パイプライン等においては、光ファイバケーブルを利用した温度分布測定が行われ出している。この場合、母線の表面に添わせる光ファイバケーブルは母線の表面に溝を設けてこの溝に納めることが考えられているが、対象母線によってはその布設用溝を設置できないことがある。そこで、このような場合には、母線とこれに添わせた光ファイバケーブルをロープやバンドで結束する方法が採られている。
【０００３】
さらに、母線と細径ケーブル間に熱伸縮等による相対移動が生じる場合には、適宜個所に弛み（オフセットやスネーク）を設ける方法が採られている。
【０００４】
【発明が解決しようとする課題】
ロープやバンドによる結束では、母線を含めた全体の外周に結束材を巻きつける必要があるため、母線が多条数重ねて布設されているような場合には特に、作業性が悪い。
【０００５】
また、母線と支持部との間の隙間が狭かったり、その隙間が無かったりすると結束材をかけることができないこともある。
【０００６】
さらに、細径ケーブルを母線に結束して固定すると、両者の相対移動が許容されなくなるため熱伸縮等で母線が細径ケーブルよりも長くなると言った場合には細径ケーブルに過大な応力が加わってケーブル破断等の最悪の事態が生じる。また、この不具合を回避するべく全ての結束点間において細径ケーブルに弛みをつけると母線の表面から離れ易くなり、光ファイバケーブルを用いて温度測定を行う場合には正確な温度検出ができなくなる。また、弛みが何箇所もあるとそれだけ外部物体が引っ掛かり易くなるため、細径ケーブルが外傷を受ける確率も高まる。
【０００７】
この発明は、これ等の問題点を無くすことを課題としている。
【０００８】
【課題を解決するための手段】
上記の課題を解決するこの発明のケーブル布設方法は、電力ケーブル、パイプライン等を母線としてその母線の表面に細径ケーブルを縦添えし、さらに、その外側から長手方向に適宜間隔で母線の外周に断面Ｃ字形の把持具を嵌め、この把持具で細径ケーブルを支えながら母線上に布設していくものである。
【０００９】
また、前述の相対移動が起こる場合には細径ケーブルに熱伸縮等による母線との相対移動に対応する弛みを設け、前記相対移動が生じる位置の把持具にはガイド溝を内面に設けてこのガイド溝で細径ケーブルを相対移動する方向に可動に支える方法を採る。
【００１０】
【作用】
細径ケーブルを母線上に添わせて把持具を嵌めていくだけでよいので作業が容易である。
【００１１】
また、Ｃ字状の把持具は母線が多条線であってもどれか１本の線に嵌めればよく、さらに、母線が支持部材に密着していても接触点に把持具を回り込ませる必要が無いため作業を支障なく進めることができる。
【００１２】
さらに、把持具の内面にガイド溝を設けることによって細径ケーブルを母線に対して相対移動可能に取付けることができるので、熱伸縮差等を吸収するための弛み付与部を少なくして母線との密着域を広げることも可能になる。
【００１３】
【実施例】
図１乃至図３に、この発明のケーブル布設方法の一例を示す。
【００１４】
図中１は電力ケーブル、パイプランイ等の母線である。この母線１の表面に光ファイバケーブル等の細径ケーブル２を縦添えする。そして、その外側から把持具３、４ａ、４ｂを母線１の外周に嵌めてこれ等の把持具で細径ケーブル２を支持する。
【００１５】
把持具３及び４ａ、４ｂは、金属、プラスチック、硬質ゴム等で形成して弾性復元力で母線１の外周に抱きつかせる。
【００１６】
把持具３は、図２に示すように、母線１との間に細径ケーブル２を挾み込んで支持する。一方、把持具４ａ、４ｂは、図３及び図４に示すように内面にガイド溝５を有し、そのガイド溝に細径ケーブル２を自由に動けるように緩く受け入れて支持する。従って、把持具４ａの取付け位置では母線１と細径ケーブル２の軸方向相対移動が許容され、そのため、図１に示すように細径ケーブル２に対して数区間（ここで云う区間は把持具による支持点間）おきに弛み６を付ける構造にしても、把持具３、３間の全域で母線１の熱伸縮、或いは側圧や自重による撓み等の挙動に対し細径ケーブル２が追随できるようになる。
【００１７】
また、把持具４ｂの取付け位置では、細径ケーブルの途中に発生する、或いは設ける弛み（スネーク）が母線１の円周方向に母線表面に添って移動し、母線表面の温度分布を測定する場合等は、細径ケーブルが母線から離れないため正確な測温が可能になる。
【００１８】
図５は、多条母線に対して細径ケーブル２を取付ける場合を例示したもので、このように、どれか１本の線に把持具３や４ａ、４ｂを装着してこの把持具で細径ケーブルを支える。
【００１９】
なお、母線との相対移動許容策が不要な場合には、把持具３のみで細径ケーブルを支持してもよい。
【００２０】
【発明の効果】
以上述べたように、この発明では、母線に添わせた細径ケーブルを把持具で抱き込んで支持するので、布設作業が容易になり、作業の実施規制も無くなる。
【００２１】
また、溝無し把持具とガイド溝付き把持具を組合わせることによりガイド溝付き把持具による支持部では母線と細径ケーブルの相対移動を許容することができるので、相対移動が生じる場合にも母線に対する細径ケーブルの追随性を悪化させずに細径ケーブルの母線に対する密着域を広げ、かつ、この細径ケーブルの保護性も向上させることができ、母線の温度測定を目的として光ファイバを母線上に布設する場合に特に大きな効果が期待できる。
【図面の簡単な説明】
【図１】この発明のケーブル布設方法の一例を示す図
【図２】図１のＸ−Ｘ線部の断面図
【図３】同じくＹ−Ｙ線部の断面図
【図４】同じくＺ−Ｚ線部の断面図
【図５】多条母線への把持具取付け例を示す断面図
【符号の説明】
１  母線
２  細径ケーブル
３、４ａ、４ｂ  把持具
５  溝
６  弛み
【図１】
0003563084.tif 000002
【図２】
0003563084.tif 000003
【図３】
0003563084.tif 000004
【図４】
0003563084.tif 000005
【図５】
0003563084.tif 000006